(57)【特許請求の範囲】
【請求項１】
白黒画像を送信する白黒画像通信機能とカラー画像を送信するカラー画像通信機能とを備える画像送信装置と、該画像送信装置とネットワークを介して接続された端末装置とを備える通信システムであって、
前記端末装置が、
ユーザから画像の送信先及び各送信先についての送信種別の指定を受け付ける受付手段と、
（ａ）前記受付手段が１つの送信先の指定を受け付けた場合に、（ａ−１）前記送信種別として白黒送信の指定を受け付けていれば、該受け付けた送信先及び送信種別の情報に加え、送信すべき画像に付加情報を付加した画像を示す白黒画情報を含む送信ジョブ情報を生成し、（ａ−２）前記送信種別としてカラー送信の指定を受け付けていれば、該受け付けた送信先及び送信種別の情報に加え、送信すべき画像に付加情報を付加した画像の画像データを不可逆圧縮して得たカラー画情報を含む送信ジョブ情報を生成し、（ｂ）前記受付手段が複数の送信先の指定を受け付けた場合に、該受け付けた各送信先及び送信種別の情報に加え、送信すべき画像のカラー画像データを含む送信ジョブ情報を生成する送信ジョブ生成手段と、
前記送信ジョブ生成手段が生成した送信ジョブ情報を前記画像送信装置へ送信する第１の送信手段とを備え、
前記画像送信装置が、
前記端末装置から送信ジョブ情報を受信する受信手段と、
前記受信手段が受信した送信ジョブ情報が、（ａ）１つの送信先の情報を含む場合に、（ａ−１）対応する送信種別が白黒送信であれば、該送信先へ、受信した送信ジョブ情報に含まれる白黒画情報を、前記白黒画像通信機能を適用して送信し、（ａ−２）対応する送信種別がカラー送信であれば、該送信先へ、受信した送信ジョブ情報に含まれるカラー画情報を、前記カラー画像通信機能を適用して送信し、（ｂ）複数の送信先の情報を含む場合に、その各送信先について、（ｂ−１）対応する送信種別が白黒送信であれば、該送信先へ、受信した送信ジョブ情報に含まれるカラー画像データに係る画像に前記付加情報を付加すると共に白黒に変換した画像を示す白黒画情報を、前記白黒画像通信機能を適用して送信し、（ｂ−２）対応する送信種別がカラー送信であれば、該送信先へ、受信した送信ジョブ情報に含まれるカラー画像データに係る画像に前記付加情報を付加した画像の画像データを不可逆圧縮して得たカラー画情報を、前記カラー画像通信機能を適用して送信する第２の送信手段とを備えることを特徴とする通信システム。
【請求項２】
請求項１に記載の通信システムであって、
前記端末装置に、前記送信ジョブ情報の生成に係る前記不可逆圧縮における圧縮率を、前記ネットワークの負荷又は前記画像通信装置の備えるメモリの残量に応じて設定する手段を設けたことを特徴とする通信システム。
【発明の詳細な説明】
【技術分野】
【０００１】
本発明は、白黒画像を送信する白黒画像通信機能とカラー画像を送信するカラー画像通信機能とを備える画像送信装置と、該画像送信装置とネットワークを介して接続された端末装置とを備える通信システムに関する。
【背景技術】
【０００２】
従来、ファクシミリ通信機能を備え、ネットワークを介して送信ジョブ情報を受信する画像送信装置（例えば、ネットワーク対応複合機など）と、ネットワークを介して画像送信装置へ送信ジョブ情報を送信する端末装置（例えば、パーソナルコンピュータ装置など）からなる通信システムでは、端末装置において、文書作成アプリケーションで作成した文書を印刷指示する際に使用されるファクシミリ送信アプリケーション上で、画像送信装置へ送信指示すると、印刷指示された文書を送信画情報に変換し、送信画情報と、指定された送信先を指定した送信先情報からなる送信ジョブ情報を作成し、ネットワークを介して、画像送信装置に送っていた。
【０００３】
このような送信ジョブ情報を受信した画像送信装置は、送信ジョブ情報に含まれる送信先情報の送信先へ、送信ジョブ情報に含まれる送信画情報を、ファクシミリ通信機能を用いて送信するようにしていた。
【発明の開示】
【発明が解決しようとする課題】
【０００４】
ところで、近年、通常のファクシミリ通信機能（白黒画像通信に対応）に加えて、カラーファクシミリ通信機能を備えた画像送信装置が提供されるようになってきている。
【０００５】
このような画像送信装置を、上述した通信システムに適用した場合、白黒画像のみならず、カラー画像を送信する要求が発生するが、端末装置に導入されたファクシミリアプリケーションは、白黒画像を送信する機能のみ備えているので、カラー画像を送信する際には適用できないという不具合を生じるおそれがあった。
【０００６】
本発明は、かかる実情に鑑みてなされたものであり、白黒画像通信およびカラー画像通信を適切に画像送信装置に対して指令することができる通信システムを提供すること目的とする。
【課題を解決するための手段】
【０００７】
本発明は、白黒画像を送信する白黒画像通信機能とカラー画像を送信するカラー画像通信機能とを備える画像送信装置と、その画像送信装置とネットワークを介して接続された端末装置とを備える通信システムであって、上記端末装置が、ユーザから画像の送信先及び各送信先についての送信種別の指定を受け付ける受付手段と、（ａ）上記受付手段が１つの送信先の指定を受け付けた場合に、（ａ−１）上記送信種別として白黒送信の指定を受け付けていれば、その受け付けた送信先及び送信種別の情報に加え、送信すべき画像に付加情報を付加した画像を示す白黒画情報を含む送信ジョブ情報を生成し、（ａ−２）上記送信種別としてカラー送信の指定を受け付けていれば、その受け付けた送信先及び送信種別の情報に加え、送信すべき画像に付加情報を付加した画像の画像データを不可逆圧縮して得たカラー画情報を含む送信ジョブ情報を生成し、（ｂ）上記受付手段が複数の送信先の指定を受け付けた場合に、その受け付けた各送信先及び送信種別の情報に加え、送信すべき画像のカラー画像データを含む送信ジョブ情報を生成する送信ジョブ生成手段と、上記送信ジョブ生成手段が生成した送信ジョブ情報を上記画像送信装置へ送信する第１の送信手段とを備え、上記画像送信装置が、上記端末装置から送信ジョブ情報を受信する受信手段と、上記受信手段が受信した送信ジョブ情報が、（ａ）１つの送信先の情報を含む場合に、（ａ−１）対応する送信種別が白黒送信であれば、その送信先へ、受信した送信ジョブ情報に含まれる白黒画情報を、上記白黒画像通信機能を適用して送信し、（ａ−２）対応する送信種別がカラー送信であれば、その送信先へ、受信した送信ジョブ情報に含まれるカラー画情報を、上記カラー画像通信機能を適用して送信し、（ｂ）複数の送信先の情報を含む場合に、その各送信先について、（ｂ−１）対応する送信種別が白黒送信であれば、その送信先へ、受信した送信ジョブ情報に含まれるカラー画像データに係る画像に上記付加情報を付加すると共に白黒に変換した画像を示す白黒画情報を、上記白黒画像通信機能を適用して送信し、（ｂ−２）対応する送信種別がカラー送信であれば、その送信先へ、受信した送信ジョブ情報に含まれるカラー画像データに係る画像に上記付加情報を付加した画像の画像データを不可逆圧縮して得たカラー画情報を、上記カラー画像通信機能を適用して送信する第２の送信手段とを備えるものである。
【０００８】
また、上記通信システムにおいて、上記端末装置に、上記送信ジョブ情報の生成に係る上記不可逆圧縮における圧縮率を、上記ネットワークの負荷又は上記画像通信装置の備えるメモリの残量に応じて設定する手段を設けるとよい。
【発明の効果】
【００１４】
したがって、本発明によれば、それぞれの送信先に指定された送信種別に応じて、白黒画像またはカラー画像を適切に送信することができるという効果を得る。
【発明を実施するための最良の形態】
【００１５】
以下、添付図面を参照しながら、本発明の実施の形態を詳細に説明する。
【００１６】
図１は、本発明の一実施例にかかる通信システムの一例を示している。
【００１７】
この通信システムは、２つのネットワークＤＭａとネットワークＤＭｂを、広域ネットワークＮＴを介して接続してなり、おのおののネットワークＤＭａ，ＤＭｂは、パーソナルコンピュータ装置ＰＣａ，ＰＣｂと、ネットワーク対応複合機ＦＸａ，ＦＸｂを、ローカルエリアネットワークＬＮａ，ＬＮｂを介して接続するとともに、ローカルエリアネットワークＬＮａ，ＬＮｂを広域ネットワークＮＴへ接続するためのルータ装置ＲＴａ，ＲＴｂを備えている。
【００１８】
また、パーソナルコンピュータ装置ＰＣａ，ＰＣｂは、文書作成機能、ローカルエリアネットワークＬＮａ，ＬＮｂを介してネットワーク対応複合機ＦＸａ，ＦＸｂへ送信ジョブ情報を送信するネットワークファクシミリ送信依頼機能、ローカルエリアネットワークＬＮａ，ＬＮｂを介してネットワーク対応複合機ＦＸａ，ＦＸｂへ印刷ジョブ情報を送信するネットワーク印刷依頼機能、ローカルエリアネットワークＬＮａ，ＬＮｂを介してネットワーク対応複合機ＦＸａ，ＦＸｂよりＭＩＢ（Ｍａｎａｇｅｍｅｎｔ  Ｉｎｆｏｒｍａｔｉｏｎ  Ｂａｓｅ）を受信する機器情報受信機能、および、ローカルエリアネットワークＬＮａ，ＬＮｂを介して、他の端末装置との間で行う種々の通信機能等を備えたものである。
【００１９】
また、ネットワーク対応複合機ＦＸａ，ＦＸｂは、アナログ公衆回線網ＰＳＴＮを介して行うグループ３ファクシミリ通信機能、ローカルエリアネットワークＬＮａ，ＬＮｂを介して行うカラーファクシミリ通信機能、ローカルエリアネットワークＬＮａ，ＬＮｂを介して、パーソナルコンピュータ装置ＰＣａ，ＰＣｂより送信ジョブ情報を受信したり、ＭＩＢ情報を通知する機器情報送信機能、パーソナルコンピュータ装置ＰＣａ，ＰＣｂより印刷ジョブ情報を受信して、その印刷ジョブ情報により指定された印刷動作を行うネットワークプリンタ機能、および、データファイルを受信して蓄積したり、蓄積したデータファイルを送信するＦＴＰ（Ｆｉｌｅ  Ｔｒａｎｓｆｅｒ  Ｐｒｏｔｏｃｏｌ）サーバ機能などのネットワーク通信機能等を備えたものである。ここで、カラーファクシミリ通信機能は、呼接続手順としては、ＩＴＵ−Ｔ勧告Ｈ．３２３またはＳＩＰ（Ｓｅｓｓｉｏｎ  Ｉｎｉｔｉａｔｉｏｎ  Ｐｒｏｔｏｃｏｌ）に従った呼接続手順を適用し、データのやりとり（伝送前手順やデータ転送手順など）は、独自手順を適用して行う。
【００２０】
図２は、ネットワーク対応複合機ＦＸ（ＦＸａ，ＦＸｂ）の構成例を示している。
【００２１】
同図において、システム制御部１は、このネットワーク対応複合機ＦＸの各部の制御処理、グループ３ファクシミリ通制御処理、カラーファクシミリ通信制御処理、および、ネットワークプリンタ機能などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク対応複合機ＦＸに固有な各種の情報を記憶するためのものであり、時計回路４は、現在時刻情報を出力するものである。
【００２２】
スキャナ５は、所定の解像度で原稿画像を読み取るためのものであり、プロッタ６は、所定の解像度で画像を記録出力するためのものであり、操作表示部７は、このネットワーク対応複合機ＦＸを操作するためのもので、各種の操作キー、および、各種の表示器からなる。
【００２３】
符号化復号化部８は、画信号を符号化圧縮するとともに、符号化圧縮されている画情報を元の画信号に復号化するためのものであり、磁気ディスク装置９は、符号化圧縮された状態の画情報や、それ以外の適宜なデータファイルなどを蓄積するためのものである。
【００２４】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２５】
網制御装置１１は、このネットワーク対応複合機ＦＸをアナログ公衆回線網ＰＳＴＮに接続するためのものであり、自動発着信機能を備えている。
【００２６】
ローカルエリアネットワークインターフェース回路１２は、このネットワーク対応複合機ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２７】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２８】
また、網制御装置１１とグループ３ファクシミリモデム１０との間のデータのやりとりは、直接行なわれている。
【００２９】
図３は、パーソナルコンピュータ装置ＰＣ（ＰＣａ，ＰＣｂ）の構成例を示している。
【００３０】
同図において、ＣＰＵ（中央処理装置）２１は、このパーソナルコンピュータ装置ＰＣの動作制御を行うものであり、ＲＯＭ（リード・オンリ・メモリ）２２は、ＣＰＵ２１が起動時に実行するプログラムや必要なデータ等を記憶するためのものであり、ＲＡＭ（ランダム・アクセス・メモリ）２３は、ＣＰＵ２１のワークエリア等を構成するためのものである。
【００３１】
キャラクタジェネレータ２４は、図形文字の表示データを発生するためのものであり、時計回路２５は、現在日時情報を出力するためのものであり、ローカルエリアネットワークインターフェース回路２６は、このパーソナルコンピュータ装置ＰＣをローカルエリアネットワークＬＮ（ＬＮａ，ＬＮｂ）に接続するためのものであり、ローカルエリアネットワーク伝送制御部２７は、ローカルエリアネットワークＬＮを介して、他のデータ端末装置との間で種々のデータをやりとりするための各種所定のプロトコルスイートの通信制御処理を実行するためのものである。
【００３２】
磁気ディスク装置２８は、種々のアプリケーションプログラム、ワークデータ、ファイルデータ、公開暗号化方式の暗号文の復号化の際に用いられる秘密鍵、画情報データなどの種々のデータを記憶するためのものであり、光学媒体駆動装置２９は、交換可能な光学記録媒体（例えば、ＣＤ−ＲＯＭ、ＤＶＤなど）のデータをアクセス（読み書き）するためのものであり、画面表示装置３１は、このパーソナルコンピュータ装置ＰＣを操作するための画面を表示するためのものであり、表示制御部３２は、画面表示装置３１の表示内容を制御するためのものである。
【００３３】
キーボード装置３３は、このパーソナルコンピュータ装置ＰＣに種々のキー操作を行うためのものであり、画面指示装置３４は、画面表示装置３１の任意の点を指示する等の操作作業を行うためのものであり、入力制御部３５は、キーボード装置３３および画面指示装置３４の入力情報を取り込む等するためのものである。
【００３４】
ＵＳＢホストユニット３６は、ＵＳＢホスト機能を実現するためのものであり、ＵＳＢメモリＭＭなどのＵＳＢ機器を着脱するためのソケット３７が設けられている。
【００３５】
これらのＣＰＵ２１、ＲＯＭ２２、ＲＡＭ２３、キャラクタジェネレータ２４、時計回路２５、ローカルエリアネット伝送制御部２７、磁気ディスク装置２８、光学媒体駆動装置２９、表示制御部３２、入力制御部３５、および、ＵＳＢホストユニット３６は、内部バス３８に接続されており、これらの各要素間のデータのやりとりは、主としてこの内部バス３８を介して行われる。
【００３６】
さて、本実施例では、パーソナルコンピュータ装置ＰＣのユーザは、文書作成機能（文書作成用アプリケーション）を用いて文書を作成し、その文書を印刷する段階になると、例えば、プリンタドライバの表示画面において、印刷機器としてネットワーク対応複合機ＦＸのネットワークプリンタ機能を使用するか（ネットワーク印刷依頼機能）、あるいは、ファクシミリ送信を行うか、いずれかを選択することができる。
【００３７】
ここで、ファクシミリ送信を行う旨を選択した場合には、図４に示すようなファクシミリ送信画面が表示される。このファクシミリ送信画面は、画面ＤＰａ，ＤＰｂと、ボタンＢＢａが設けられている。ボタンＢＢａは、ユーザが送信動作の開始を指令するための操作ボタンである。
【００３８】
画面ＤＰａは、送信先を入力するための操作要素が配置されている。ドロップダウンリストＤＬは、送信種別を指定するためのものであり、白黒画像を送信するための「ファクシミリ」と、カラー画像を送信するための「カラーファクシミリ」の２つの送信種別から１つを選択することができる。
【００３９】
チェックボックスＢＸａは、ネットワーク対応複合機ＦＸのアドレス帳機能を使用することを選択するためのものであり、データ入力ボックスＢＸｂは、ファクシミリ番号または送信先アドレス情報などをあらわす文字列を入力するためのものである。ここで、ユーザがチェックボックスＢＸａをチェック操作した場合には、このデータ入力ボックスＢＸｂには、ネットワーク対応複合機ＦＸのアドレス帳に登録されている短縮番号などが入力される。それ以外の場合は、ファクシミリ番号または送信アドレス情報が直接入力指される。
【００４０】
また、ボタンＢＢｂは、画面ＤＰａの入力項目に入力された内容を画面ＤＰｂの送信先一覧に追加する旨を指令するためのものである。このボタンＢＢｂが操作されると、そのときの画面ＤＰａの入力項目に入力された内容が、送信先一覧表示領域に追加されて表示される。
【００４１】
一方、ネットワーク対応複合機ＦＸでファクシミリ送信される送信画像には、その先端部分に、図５に示すような付加情報ＨＨが挿入される。この付加情報ＨＨは、グループ３ファクシミリ通信の送信原稿の先端に付加される付加情報と同等のものであり、送信日時、送信先表示（「Ｔｏ：ｕｓｅｒ０１」の部分）、送信元表示（「Ｆｒｏｍ：Ｕｓｅｒ０２」の部分）が含まれている。
【００４２】
また、パーソナルコンピュータ装置ＰＣがネットワーク対応複合機ＦＸへ送信する送信ジョブ情報の一例を図６（ａ）に示す。
【００４３】
送信ジョブ情報は、基本的には、１つ以上の宛先情報を保持する送信先情報テーブルと、１または２つの送信画情報＃１，＃２からなる。また、送信先情報テーブルは、同図（ｂ）に示すように、送信先数と、１つ以上の送信先情報からなる。また、おのおのの送信先情報は、同図（ｃ）に示すように、送信種別と、送信先番号（または、送信先アドレス）からなる。ここで、上述した例では、送信種別として「ファクシミリ」と「カラーファクシミリ」のいずれかが配置される。また、送信画情報＃１，＃２は、それぞれ１ページまたは複数ページの画情報からなる。
【００４４】
また、パーソナルコンピュータ装置ＰＣは、ネットワーク対応複合機ＦＸの機器情報を取得して、図６（ｄ）に示すようなＭＦＰ（ネットワーク対応複合機）機器情報テーブルに保存している。このＭＦＰ機器情報テーブルは、ネットワーク対応複合機ＦＸの名称、ＩＰアドレス、および、その他の機器情報からなる。
【００４５】
また、パーソナルコンピュータ装置ＰＣは、ネットワーク対応複合機ＦＸに登録されているアドレス帳情報（図示略）を取得して、図６（ｅ）に示すような機器登録アドレス情報テーブルに保存している。この機器登録アドレステーブルは、機器登録アドレステーブルに登録されているアドレス情報の件数、および、おのおのの個別アドレス情報からなる。また、個別アドレス情報は、同図（ｆ）に示すように、ＩＤ（短縮番号）および宛先名からなる。
【００４６】
パーソナルコンピュータ装置ＰＣは、これらの機器情報やアドレス帳情報をネットワーク対応複合機ＦＸより取得する場合には、ＳＮＭＰ（Ｓｉｍｐｌｅ  Ｎｅｔｗｏｒｋ  Ｍａｎａｇｅｍｅｎｔ  Ｐｒｏｔｏｃｏｌ）を用いて、ネットワーク対応複合機ＦＸよりＭＩＢを取得し、そのＭＩＢに含まれる情報から、必要な情報内容を抽出して行う。これらの情報の取得動作は、適宜なタイミングで行えばよい。
【００４７】
図７は、ユーザがファクシミリ送信画面を用いてファクシミリ送信を指定した場合のパーソナルコンピュータ装置ＰＣの処理の一例を示している。
【００４８】
まず、ユーザが送信先の指定入力を終了すると（処理１０１）、そのときに入力された送信先を１つ選択し（処理１０２）、その送信先の送信種別が「ファクシミリ」であるかどうかを調べる（判断１０３）。
【００４９】
判断１０３の結果がＹＥＳになるときには、このときに送信する文書は、白黒画像データである。そして、そのときの時刻と、処理１０２で選択した送信先の名称と、ＭＦＰ機器情報テーブルから取得したネットワーク対応複合機ＦＸの名称を用いて、付加情報ＨＨの画像を形成し、送信画像の先頭部に挿入（置換）する（処理１０４）。このとき、送信ページ数が２ページ以上の場合には、各ページについて、送信画像の先頭部に付加情報ＨＨの画像を挿入する。
【００５０】
このようにして付加情報ＨＨの画像が挿入された送信画像をＭＭＲ変換して送信画情報を作成する（処理１０５）。次いで、作成した送信画情報と、ユーザが指定した送信先の情報に基づいて、上述した送信ジョブ情報を作成し（処理１０６）、その送信ジョブ情報を、ローカルエリアネットワークＬＮを介して、ネットワーク対応複合機ＦＸへ送信する（処理１０７）。
【００５１】
ここで、全ての送信先について処理を終了したかどうかを調べ（判断１０８）、判断１０８の結果がＮＯになるときには、処理１０２へ戻り、残りの送信先について処理を行う。また、全ての送信先についての処理を終了して、判断１０８の結果がＹＥＳになるときには、このときの処理を終了する。
【００５２】
また、処理１０２で選択した送信先の送信種別が「カラーファクシミリ」であり、判断１０３の結果がＮＯになるときには、このときに送信する文書は、カラー画像データである。そして、そのときの時刻と、処理１０２で選択した送信先の名称と、ＭＦＰ機器情報テーブルから取得したネットワーク対応複合機ＦＸの名称を用いて、付加情報ＨＨの画像を形成し、送信画像の先頭部に挿入（置換）する（処理１０９）。このとき、送信ページ数が２ページ以上の場合には、各ページについて、送信画像の先頭部に付加情報ＨＨの画像を挿入する。
【００５３】
次いで、ネットワーク対応複合機ＦＸとの間のネットワーク負荷やメモリ残量に応じて、カラー画像データの圧縮率を設定する（処理１１０）。この処理１１０では、ネットワーク負荷が大きい場合あるいはメモリ残量が少ない場合には高圧縮率が設定され、ネットワーク負荷が小さい場合あるいはメモリ残量が多い場合には、低圧縮率が設定される。
【００５４】
そして、処理１０９で付加情報ＨＨの画像が挿入された送信画像の各ページについて（１ページの場合には、１ページのみ）、処理１１０で設定された圧縮率を適用し、ＪＰＥＧ変換する（処理１１１）。次に、作成した送信画情報と、ユーザが指定した送信先の情報に基づいて、上述した送信ジョブ情報を作成し（処理１１２）、処理１０７へ移行し、その送信ジョブ情報を、ローカルエリアネットワークＬＮを介して、ネットワーク対応複合機ＦＸへ送信する。
【００５５】
図８（ａ），（ｂ）は、処理１１０の一例を示している。
【００５６】
同図（ａ）の場合、まず、ｎｅｔｓｔａｔ等のアプリケーションを適用して、ローカルエリアネットワークＬＮを介して行う通信におけるエラーパケットの発生率（エラーパケット率）などのネットワークの状況を取得する（処理１２１）。
【００５７】
そして、処理１２１で取得したエラーパケット率が所定値以上になっているかどうかを調べる（判断１２２）。判断１２２の結果がＹＥＳになるときには、圧縮率として高圧縮率（例えば、９５％など）をセットし（処理１２３）、判断１２２の結果がＮＯになるときには、低圧縮率（例えば、４０％など）をセットして（処理１２４）、この処理を終了する。
【００５８】
同図（ｂ）の場合、まず、ネットワーク対応複合機ＦＸからＭＩＢを取得し（処理１３１）、その時点でのネットワーク対応複合機ＦＸのメモリ空き容量を調べる（処理１３２）。ここでいう「ネットワーク対応複合機ＦＸのメモリ」とは、ネットワーク対応複合機ＦＸが一時ファイルを保存するために用いるメモリ領域であり、システムメモリ２または磁気ディスク装置９に確保される。
【００５９】
そして、メモリ空き容量があるかどうかを調べ（判断１３３）、判断１３３の結果がＹＥＳになるときには、空き容量が１０％以下であるかどうかを調べる（判断１３４）。判断１３４の結果がＹＥＳになるときには、圧縮率として高圧縮率（例えば、９５％など）をセットし（処理１３５）、判断１３４の結果がＮＯになるときには、低圧縮率（例えば、４０％など）をセットして（処理１３６）、この処理を終了する。
【００６０】
また、メモリ空き容量が全くない場合で、判断１３３の結果がＮＯになるときには、送信不可であるので（処理１３７）、例えば、「複合機の空きメモリがないので、送信できません」というエラーメッセージを表示して（処理１３８）、この処理をエラー終了する。なお、この場合は、送信動作は継続できない。
【００６１】
図９は、この場合のネットワーク対応複合機ＦＸの処理の一例を示している。
【００６２】
パーソナルコンピュータ装置ＰＣより送信ジョブを受け付けると（処理２０１）、送信ジョブ情報を受信して保存する（処理２０２）。そして、送信ジョブ情報の送信先情報テーブルの送信種別が「ファクシミリ」であるかどうかを調べる（判断２０３）。
【００６３】
判断２０３の結果がＹＥＳになるときには、網制御装置１１により、送信先情報テーブルの送信先番号へ発呼し、所定のグループ３ファクシミリ伝送手順を実行し、送信ジョブ情報の送信画情報を送信する（処理２０４）。
【００６４】
また、送信種別が「カラーファクシミリ」の場合で、判断２０３の結果がＮＯになるときには、ＩＴＵ−Ｔ勧告Ｈ．３２３またはＳＩＰに従った呼接続手順を適用して、送信先情報テーブルの送信先番号であらわされる送信先との間で通信パスを設定し、その設定した通信パスを用いて、所定の伝送手順を適用して、送信ジョブ情報の送信画情報を送信する（処理２０５）。
【００６５】
このようにして、この場合には、ユーザが指定した送信種別に応じた送信画情報を作成し、ネットワーク対応複合機ＦＸへ送信ジョブ情報を送信しているので、ネットワーク対応複合機ＦＸは、ユーザが所望する通信動作を行うことができる。
【００６６】
また、上述した場合には、ユーザが複数の送信先を指定した場合には、１つの送信先についての送信動作を繰り返しているので、送信画像に付加する付加情報ＨＨを適切に構築することができることとなる。
【００６７】
ところで、上述した実施例では、送信先が複数ある場合、１つの送信先についての送信動作を繰り返しているので、その送信動作の都度、ローカルエリアネットワークＬＮのトラフィックが増えるので、ユーザから指定された１つの送信ジョブを実行する際のネットワーク負荷がある程度大きくなる。
【００６８】
このような事態を解消するためには、ユーザが送信先を複数指定した同報通信を行う場合、ＲＧＢカラー画像データをネットワーク対応複合機ＦＸへ送信するとともに、送信画像への付加情報ＨＨの付加、および、白黒画像通信の場合の白黒画像変換処理をネットワーク対応複合機ＦＸで行わせるようにして、カラー画像送信の場合の画像劣化を極力抑制できるようにするにすることが好ましい。
【００６９】
なんとなれば、ＪＰＥＧ変換は、いわゆるロッシー変換であり、ＪＰＥＧ画像を元のカラー画像データに逆変換すると、劣化したカラー画像データが得られるからである。付加情報ＨＨを挿入する画像処理を行うためには、処理対象のカラー画像データはＪＰＥＧ画像ではなくて、元のＲＧＢカラー画像データを適用する必要がある。
【００７０】
したがって、もしネットワーク対応複合機ＦＸにＪＰＥＧ画像を送信した場合、ネットワーク対応複合機ＦＸでは、受信したＪＰＥＧ画像をＲＧＢカラー画像データに変換し、その劣化したＲＧＢカラー画像データに付加情報ＨＨの画像を挿入し、再度、ＪＰＥＧ画像に変換して、送信先へ送信することとなり、パーソナルコンピュータ装置ＰＣから送信先にカラー画像データが送られるまで、送信対象のカラー画像データは、ＪＰＥＧ画像への変換処理が２回適用されるため、送信先で得られる受信画像の劣化が甚だしいと考えられる。
【００７１】
かかる事態を回避するためにも、ネットワーク対応複合機ＦＸで付加情報ＨＨを挿入する場合には、ネットワーク対応複合機ＦＸに送信するカラー画像データは、元々のＲＧＢカラー画像データとすることが好ましいのである。
【００７２】
図１０は、この場合にユーザがファクシミリ送信画面を用いてファクシミリ送信を指定した場合のパーソナルコンピュータ装置ＰＣの処理の一例を示している。
【００７３】
まず、ユーザが送信先の指定入力を終了すると（処理３０１）、そのときに入力された送信先の数が「１」であったかどうかを調べる（判断３０２）。判断３０２の結果がＹＥＳになるときには、その送信先の送信種別が「ファクシミリ」であるかどうかを調べる（判断３０３）。
【００７４】
判断３０３の結果がＹＥＳになるときには、このときに送信する文書は、白黒画像データである。そして、そのときの時刻と、ユーザが指定した送信先の名称と、ＭＦＰ機器情報テーブルから取得したネットワーク対応複合機ＦＸの名称を用いて、付加情報ＨＨの画像を形成し、送信画像の先頭部に挿入（置換）する（処理３０４）。このとき、送信ページ数が２ページ以上の場合には、各ページについて、送信画像の先頭部に付加情報ＨＨの画像を挿入する。
【００７５】
このようにして付加情報ＨＨの画像が挿入された送信画像をＭＭＲ変換して送信画情報を作成する（処理３０５）。次いで、作成した送信画情報と、ユーザが指定した送信先の情報に基づいて、上述した送信ジョブ情報を作成し（処理３０６）、その送信ジョブ情報を、ローカルエリアネットワークＬＮを介して、ネットワーク対応複合機ＦＸへ送信する（処理３０７）。
【００７６】
また、ユーザが指定した送信先の送信種別が「カラーファクシミリ」であり、判断３０３の結果がＮＯになるときには、このときに送信する文書は、カラー画像データである。そして、そのときの時刻と、ユーザが指定した送信先の名称と、ＭＦＰ機器情報テーブルから取得したネットワーク対応複合機ＦＸの名称を用いて、付加情報ＨＨの画像を形成し、送信画像の先頭部に挿入（置換）する（処理３０８）。このとき、送信ページ数が２ページ以上の場合には、各ページについて、送信画像の先頭部に付加情報ＨＨの画像を挿入する。
【００７７】
次いで、処理１１０と同様に、ネットワーク対応複合機ＦＸとの間のネットワーク負荷やメモリ残量に応じて、カラー画像データの圧縮率を設定し（処理３０９）、処理３０８で付加情報ＨＨの画像が挿入された送信画像の各ページについて（１ページの場合には、１ページのみ）、処理３０９で設定された圧縮率を適用し、ＪＰＥＧ変換する（処理３１０）。次に、作成した送信画情報と、ユーザが指定した送信先の情報に基づいて、上述した送信ジョブ情報を作成し（処理３１１）、処理３０７へ移行し、その送信ジョブ情報を、ローカルエリアネットワークＬＮを介して、ネットワーク対応複合機ＦＸへ送信する。
【００７８】
一方、ユーザが指定した送信先の数が「２」以上の場合であり、判断３０２の結果がＮＯになるときには、送信画情報として、ＲＧＢカラー画像データファイルを作成する（処理３１２）。
【００７９】
そして、作成した送信画情報と、ユーザが指定した２つ以上の送信先の情報に基づいて、上述した送信ジョブ情報を作成し（処理３１３）、処理３０７へ移行し、その送信ジョブ情報を、ローカルエリアネットワークＬＮを介して、ネットワーク対応複合機ＦＸへ送信する。
【００８０】
図１１，１２は、この場合のネットワーク対応複合機ＦＸの処理の一例を示している。
【００８１】
パーソナルコンピュータ装置ＰＣより送信ジョブを受け付けると（処理４０１）、送信ジョブ情報を受信して保存する（処理４０２）。そして、送信ジョブ情報の送信先情報テーブルに含まれる送信先数が「１」であるかどうかを調べる（判断４０３）。
【００８２】
判断４０３の結果がＹＥＳになるときには、送信種別が「ファクシミリ」であるかどうかを調べ（判断４０４）、判断４０４の結果がＹＥＳになるときには、網制御装置１１により、送信先情報テーブルの送信先番号へ発呼し、所定のグループ３ファクシミリ伝送手順を実行し、送信ジョブ情報の送信画情報を送信する（処理４０５）。
【００８３】
また、送信種別が「カラーファクシミリ」の場合で、判断４０４の結果がＮＯになるときには、ＩＴＵ−Ｔ勧告Ｈ．３２３またはＳＩＰに従った呼接続手順を適用して、送信先情報テーブルの送信先番号であらわされる送信先との間で通信パスを設定し、その設定した通信パスを用いて、所定の伝送手順を適用して、送信ジョブ情報の送信画情報を送信する（処理４０６）。
【００８４】
一方、送信先数が「２」以上の場合で、判断４０３の結果がＮＯになるときには、自端末で送信画像に付加情報ＨＨを付加（挿入）した後に、送信する。
【００８５】
すなわち、まず、送信先を１つ選ぶ（処理４１０）。次いで、そのときの時刻と、処理４１０で選択した送信先の名称と、自端末の名称を用いて、付加情報ＨＨの画像を形成し、送信画像（ＲＧＢカラー画像データ）の先頭部に挿入（置換）する（処理４１１）。このとき、送信ページ数が２ページ以上の場合には、各ページについて、送信画像の先頭部に付加情報ＨＨの画像を挿入する。
【００８６】
次に、処理４１０で選択した送信先の送信種別が「ファクシミリ」であるかどうかを調べる（判断４１２）。判断４１２の結果がＹＥＳになるときには、処理４１１で付加情報を挿入したＲＧＢカラー画像データを、所定の白黒画像変換処理を適用して、白黒画像へ変換し（処理４１３）、それによって得た白黒画像データをＭＭＲ変換して保存する（処理４１４）。ここで、送信画像データが２以上ある場合には、各送信画像データについて、処理４１３，４１４を実行する。
【００８７】
そして、網制御装置１１により、処理４１０で選択した送信先の送信先番号へ発呼し、所定のグループ３ファクシミリ伝送手順を実行し、処理４１４で作成した送信画情報を送信する（処理４１５）。
【００８８】
ここで、全ての送信先について送信動作を完了したかどうかを調べ（判断４１６）、判断４１６の結果がＮＯになるときには、処理４１０へ戻り、残りの送信先についてそれ以降の処理を実行する。なお、判断４１６の結果がＹＥＳになるときには、このときの送信動作を終了する。
【００８９】
また、処理４１０で選択した送信先の送信種別が「カラーファクシミリ」である場合で、判断４１２の結果がＮＯになるときには、処理４１１で作成したカラー画像データを、所定の圧縮率でＪＰＥＧ変換して保存する（処理４１７）。
【００９０】
次いで、ＩＴＵ−Ｔ勧告Ｈ．３２３またはＳＩＰに従った呼接続手順を適用して、処理４１０で選択した送信先の送信先番号であらわされる送信先との間で通信パスを設定し、その設定した通信パスを用いて、所定の伝送手順を適用して、処理４１７で作成した送信画情報（ＪＰＥＧ画像）を送信する（処理４１８）。そして、判断４１６へ移行する。
【００９１】
これまで説明した実施例では、送信先の送信先番号をユーザが直接操作入力した場合について説明しているが、ユーザがチェックボックスＢＸａをチェックして、機器登録アドレスを使用する旨を選択した場合には、パーソナルコンピュータ装置ＰＣは、図１３の処理を行う。
【００９２】
まず、ユーザが送信先の指定入力を終了すると（処理５０１）、そのときに入力された送信先の数が「１」であったかどうかを調べる（判断５０２）。判断５０２の結果がＹＥＳになるときには、その送信先の送信種別が「ファクシミリ」であるかどうかを調べる（判断５０３）。
【００９３】
判断５０３の結果がＹＥＳになるときには、まず、機器登録アドレス情報テーブルを参照して、ユーザが指定した送信先の短縮番号に対応した送信先名を得る（処理５０４）。また、このときに送信する文書は、白黒画像データである。そして、そのときの時刻と、処理５０４で取得した送信先名と、ＭＦＰ機器情報テーブルから取得したネットワーク対応複合機ＦＸの名称を用いて、付加情報ＨＨの画像を形成し、送信画像の先頭部に挿入（置換）する（処理５０５）。このとき、送信ページ数が２ページ以上の場合には、各ページについて、送信画像の先頭部に付加情報ＨＨの画像を挿入する。
【００９４】
このようにして付加情報ＨＨの画像が挿入された送信画像をＭＭＲ変換して送信画情報を作成する（処理５０６）。次いで、作成した送信画情報と、ユーザが指定した送信先の短縮番号に基づいて、上述した送信ジョブ情報を作成し（処理５０７）、その送信ジョブ情報を、ローカルエリアネットワークＬＮを介して、ネットワーク対応複合機ＦＸへ送信する（処理５０８）。
【００９５】
また、ユーザが指定した送信先の送信種別が「カラーファクシミリ」であり、判断５０３の結果がＮＯになるときには、機器登録アドレス情報テーブルを参照して、ユーザが指定した送信先の短縮番号に対応した送信先名を得る（処理５０９）。また、このときに送信する文書は、カラー画像データである。そして、そのときの時刻と、処理５０９で取得した送信先名と、ＭＦＰ機器情報テーブルから取得したネットワーク対応複合機ＦＸの名称を用いて、付加情報ＨＨの画像を形成し、送信画像の先頭部に挿入（置換）する（処理５１０）。このとき、送信ページ数が２ページ以上の場合には、各ページについて、送信画像の先頭部に付加情報ＨＨの画像を挿入する。
【００９６】
次いで、処理１１０と同様に、ネットワーク対応複合機ＦＸとの間のネットワーク負荷やメモリ残量に応じて、カラー画像データの圧縮率を設定し（処理５１１）、処理５１０で付加情報ＨＨの画像が挿入された送信画像の各ページについて（１ページの場合には、１ページのみ）、処理５１１で設定された圧縮率を適用し、ＪＰＥＧ変換する（処理５１２）。次に、作成した送信画情報と、ユーザが指定した送信先の短縮番号に基づいて、上述した送信ジョブ情報を作成し（処理５１３）、処理５０８へ移行し、その送信ジョブ情報を、ローカルエリアネットワークＬＮを介して、ネットワーク対応複合機ＦＸへ送信する。
【００９７】
一方、ユーザが指定した送信先の数が「２」以上の場合であり、判断５０２の結果がＮＯになるときには、送信画情報として、ＲＧＢカラー画像データファイルを作成する（処理５１４）。
【００９８】
そして、作成した送信画情報と、ユーザが指定した２つ以上の送信先の短縮番号に基づいて、上述した送信ジョブ情報を作成し（処理５１５）、処理５０８へ移行し、その送信ジョブ情報を、ローカルエリアネットワークＬＮを介して、ネットワーク対応複合機ＦＸへ送信する。
【００９９】
なお、この場合のネットワーク対応複合機ＦＸ側の処理は、図１１，１２に示したものと同じなので、説明を省略する。
【０１００】
したがって、この場合も、ユーザが指定した送信先の数と、送信種別に応じて、適切な送信画情報がネットワーク対応複合機ＦＸへ送信されるので、画質が良好で、かつ、白黒画像とカラー画像を適宜に送信することができることとなる。
【０１０１】
これまでに説明した実施例では、送信種別として「ファクシミリ」と「カラーファクシミリ」の２つを指定できるようにしているが、さらに、「電子メール」と「フォルダ送信」の２つ、併せて４種類の送信種別を指定できるようにした場合について、次に説明する。
【０１０２】
この場合、図４に示したファクシミリ送信画面のドロップダウンリストＤＬでは、「ファクシミリ」、「カラーファクシミリ」、「電子メール」、および、「フォルダ送信」の４つが表示され、ユーザは、この４種類から適宜な送信種別を選択することができる。
【０１０３】
また、送信種別として「電子メール」または「フォルダ送信」を選択した場合、ユーザは、データ入力ボックスＢＸｂに、電子メールアドレスまたは送信先のフォルダのネットワークアドレスを入力する。
【０１０４】
また、上述した実施例では、送信画情報の画質を重視して、カラー画像データを送信する際には、パーソナルコンピュータ装置ＰＣからネットワーク対応複合機ＦＸにＲＧＢカラー画像データを送信しているが、通常、このＲＧＢカラー画像データのデータ量はかなり大きいため、ローカルエリアネットワークＬＮのトラフィックの観点からは、ＲＧＢカラー画像データをやりとりすることは好ましくない。特に、ページ数が多い場合には、影響が顕著となる。
【０１０５】
そこで、本実施例では、カラー画像データとしてＪＰＥＧ画像を採用する。上述したように、送信画像の先頭に付加情報ＨＨを挿入する際、ＪＰＥＧ画像からＲＧＢカラー画像データに逆変換して行う必要があり、その後に、ＪＰＥＧ変換を行ってカラーファクシミリ通信を行うので、画像劣化が著しくなることが考えられる。そこで、この場合のＪＰＥＧ変換時の圧縮率を小さい値、例えば、２０％に設定し、画質劣化の影響を極力小さく抑えるようにする。
【０１０６】
なお、このように、カラー画像データを送信する際の画像フォーマットとしてどれを選択するかについては、送信時に適用される画像処理等、種々の条件を参酌する必要があり、通信システムが利用される状況に合わせて考慮する必要がある。例えば、付加情報ＨＨを挿入する画像処理の必要がないのであれば、常にＪＰＥＧ画像を採用して、画質を確保することができるとともに、ローカルエリアネットワークＬＮにおけるトラフィックへの影響を極力抑えるようにすることができる。
【０１０７】
一方で、ネットワーク対応複合機ＦＸ側で何らかの画像処理を施す必要がある場合には、画質劣化の観点から、ＲＧＢカラー画像データを採用することが好ましいと言える。
【０１０８】
図１４，１５は、この場合のパーソナルコンピュータ装置ＰＣの処理の一例を示している。
【０１０９】
まず、ユーザが送信先の指定入力を終了すると（処理６０１）、そのときに入力された送信先の数が「１」であったかどうかを調べる（判断６０２）。判断６０２の結果がＹＥＳになるときには、その送信先の送信種別が「ファクシミリ」であるかどうかを調べる（判断６０３）。
【０１１０】
判断６０３の結果がＹＥＳになるときには、このときに送信する文書は、白黒画像データである。そして、そのときの時刻と、ユーザが指定した送信先の名称と、ＭＦＰ機器情報テーブルから取得したネットワーク対応複合機ＦＸの名称を用いて、付加情報ＨＨの画像を形成し、送信画像の先頭部に挿入（置換）する（処理６０４）。このとき、送信ページ数が２ページ以上の場合には、各ページについて、送信画像の先頭部に付加情報ＨＨの画像を挿入する。
【０１１１】
このようにして付加情報ＨＨの画像が挿入された送信画像をＭＭＲ変換して送信画情報を作成する（処理６０５）。次いで、作成した送信画情報と、ユーザが指定した送信先の情報に基づいて、上述した送信ジョブ情報を作成し（処理６０６）、その送信ジョブ情報を、ローカルエリアネットワークＬＮを介して、ネットワーク対応複合機ＦＸへ送信する（処理６０７）。
【０１１２】
また、ユーザが指定した送信先の送信種別が「ファクシミリ」以外の「カラーファクシミリ」、「電子メール」、あるいは、「フォルダ送信」のいずれかの場合であり、判断６０３の結果がＮＯになるときには、このときに送信する文書は、カラー画像データである。したがって、そのときの時刻と、ユーザが指定した送信先の名称と、ＭＦＰ機器情報テーブルから取得したネットワーク対応複合機ＦＸの名称を用いて、付加情報ＨＨの画像を形成し、送信画像の先頭部に挿入（置換）する（処理６０８）。このとき、送信ページ数が２ページ以上の場合には、各ページについて、送信画像の先頭部に付加情報ＨＨの画像を挿入する。
【０１１３】
次いで、処理１１０と同様に、ネットワーク対応複合機ＦＸとの間のネットワーク負荷やメモリ残量に応じて、カラー画像データの圧縮率を設定し（処理６０９）、処理６０８で付加情報ＨＨの画像が挿入された送信画像の各ページについて（１ページの場合には、１ページのみ）、処理６０９で設定された圧縮率を適用し、ＪＰＥＧ変換する（処理６１０）。次に、作成した送信画情報と、ユーザが指定した送信先の情報に基づいて、上述した送信ジョブ情報を作成し（処理６１１）、処理６０７へ移行し、その送信ジョブ情報を、ローカルエリアネットワークＬＮを介して、ネットワーク対応複合機ＦＸへ送信する。
【０１１４】
一方、ユーザが指定した送信先の数が「２」以上の場合であり、判断６０２の結果がＮＯになるときには、まず、送信先を１つ選択し（処理６１５）、処理６１５で選択した送信先の送信種別が「ファクシミリ」であるかどうかを調べる（判断６１６）。
【０１１５】
判断６１６の結果がＹＥＳになるときには、ＭＭＲ変換して得た送信画情報を既に作成しているかどうかを調べる（判断６１７）。判断６１７の結果がＮＯになるときには、送信画像データをＭＭＲ変換して送信画情報を作成し、保存する（処理６１８）。また、判断６１７の結果がＹＥＳになるときには、処理６１８を実行しない。
【０１１６】
次いで、全ての送信先についての処理を実行したかどうかを調べ（判断６１９）、判断６１９の結果がＮＯになるときには、処理６１５に戻り、残りの送信先について処理を実行する。
【０１１７】
また、処理６１５で選択した送信先の送信種別が「ファクシミリ」以外の場合で、判断６１６の結果がＮＯになるときには、ＪＰＥＧ変換して得た送信画情報を既に作成しているかどうかを調べる（判断６２０）。判断６２０の結果がＮＯになるときには、ＪＰＥＧ変換の圧縮率を設定する（処理６２１）。この場合の圧縮率は、上述した実施例の処理１１０のような設定方法でも良いし、上述したように、画像劣化の観点から、小さい値（例えば、２０％）の固定値を採用することができる。
【０１１８】
そして、送信画像データを処理６２１で設定した圧縮率でＪＰＥＧ変換して送信画情報を作成し、保存する（処理６２２）。また、判断６２０の結果がＹＥＳになるときには、処理６２１，６２２を実行しない。次いで、判断６１９へ移行し、それ以降の処理を実行する。
【０１１９】
そして、全ての送信先について処理を完了した場合で、判断６１９の結果がＹＥＳになるときには、処理６１８で作成したＭＭＲ画情報と処理６２２で作成したＪＰＥＧ画情報、および、ユーザが指定した複数の送信先の情報に基づいて、上述した送信ジョブ情報を作成し（処理６２３）、処理６０７へ移行し、処理６２３で作成した送信ジョブ情報をネットワーク対応複合機ＦＸへ送信する。
【０１２０】
すなわち、この場合には、送信ジョブ情報には、２つの送信画情報が含まれることとなる。そして、２つの送信画情報を１つの送信ジョブ情報に含めて送信する際、カラー画像データをＲＧＢカラー画像データの形式で送信した場合、データ量が大きくなるため、この場合には、ＪＰＥＧ圧縮して送信ジョブ情報のデータ量を抑制できるようにしている。
【０１２１】
図１６，１７は、この場合のネットワーク対応複合機ＦＸの処理の一例を示している。
【０１２２】
パーソナルコンピュータ装置ＰＣより送信ジョブを受け付けると（処理７０１）、送信ジョブ情報を受信して保存する（処理７０２）。そして、送信ジョブ情報の送信先情報テーブルに含まれる送信先数が「１」であるかどうかを調べる（判断７０３）。
【０１２３】
判断７０３の結果がＹＥＳになるときには、送信種別が「ファクシミリ」であるかどうかを調べ（判断７０４）、判断７０４の結果がＹＥＳになるときには、網制御装置１１により、送信先情報テーブルの送信先番号へ発呼し、所定のグループ３ファクシミリ伝送手順を実行し、送信ジョブ情報の送信画情報を送信する（処理７０５）。
【０１２４】
また、判断７０４の結果がＮＯになるときには、送信種別が「カラーファクシミリ」であるかどうかを調べる（判断７０６）。判断７０６の結果がＹＥＳになるときには、ＩＴＵ−Ｔ勧告Ｈ．３２３またはＳＩＰに従った呼接続手順を適用して、送信先情報テーブルの送信先番号であらわされる送信先との間で通信パスを設定し、その設定した通信パスを用いて、所定の伝送手順を適用して、送信ジョブ情報の送信画情報を送信する（処理７０７）。
【０１２５】
また、判断７０６の結果がＮＯになるときには、送信種別が「電子メール」であるかどうかを調べる（判断７０８）。判断７０８の結果がＹＥＳになるときには、電子メールを用いて、送信先情報テーブルの送信先アドレスに配置されている電子メールアドレスに、そのときの送信画情報を送信する（処理７０９）。このとき、送信画情報はバイナリデータなので、ＭＩＭＥ変換され、電子メールの添付ファイルの形式で送信される。
【０１２６】
また、送信種別が「フォルダ送信」の場合で、判断７０８の結果がＮＯになるときには、送信先情報テーブルの送信先アドレスに配置されているネットワークアドレスのフォルダへ、そのときの送信画情報を、ＦＴＰ送信する（処理７１０）。
【０１２７】
一方、送信先数が「２」以上の場合で、判断７０３の結果がＮＯになるときには、まず、送信先を１つ選び（処理７１５）、処理７１５で選択した送信先の送信種別が「ファクシミリ」であるかどうかを調べる（判断７１６）。
【０１２８】
判断７１６の結果がＹＥＳになるときには、そのときの時刻と、処理７１５で選択した送信先の名称と、自端末の名称を用いて、付加情報ＨＨの画像を形成する（処理７１７）。次に、送信ジョブ情報に含まれるＭＭＲ画情報を元の白黒画像データに伸張し、処理７１７で作成した付加情報ＨＨを、その先頭部に挿入（置換）する（処理７１８）。次いで、処理７１８で付加情報ＨＨを挿入して作成した送信画像を、ＭＭＲ変換して再圧縮する（処理７１９）。ここで、送信画像データが２ページ以上ある場合には、各ページの送信画像データについて、処理７１８，７１９を実行する。
【０１２９】
そして、網制御装置１１により、処理７１５で選択した送信先の送信先番号へ発呼し、所定のグループ３ファクシミリ伝送手順を実行し、処理７１９で作成した送信画情報を送信する（処理７２０）。
【０１３０】
ここで、全ての送信先について送信動作を完了したかどうかを調べ（判断７２１）、判断７２１の結果がＮＯになるときには、処理７１５へ戻り、残りの送信先についてそれ以降の処理を実行する。なお、判断７２１の結果がＹＥＳになるときには、このときの送信動作を終了する。
【０１３１】
また、判断７１６の結果がＮＯになるときには、処理７１５で選択した送信先の送信種別が送信種別が「カラーファクシミリ」であるかどうかを調べる（判断７２２）。判断７０６の結果がＹＥＳになるときには、そのときの時刻と、処理７１５で選択した送信先の名称と、自端末の名称を用いて、付加情報ＨＨの画像を形成する（処理７２３）。次に、送信ジョブ情報に含まれるＪＰＥＧ画情報を元のカラー画像データに伸張し、処理７２３で作成した付加情報ＨＨを、その先頭部に挿入（置換）する（処理７２４）。次いで、処理７２４で付加情報ＨＨを挿入して作成した送信画像を、ＪＰＥＧ変換して再圧縮する（処理７２５）。処理７２５における圧縮率は、所定の値を用いる。ここで、送信画像データが２ページ以上ある場合には、各ページの送信画像データについて、処理７２４，７２５を実行する。
【０１３２】
そして、ＩＴＵ−Ｔ勧告Ｈ．３２３またはＳＩＰに従った呼接続手順を適用して、処理７１５で選択した送信先番号であらわされる送信先との間で通信パスを設定し、その設定した通信パスを用いて、所定の伝送手順を適用して、処理７２５で作成した送信画情報を送信する（処理７２６）。次いで、判断７２１へ移行し、それ以降の処理を実行する。
【０１３３】
また、判断７２２の結果がＮＯになるときには、処理７１５で選択した送信先の送信種別が「電子メール」であるかどうかを調べる（判断７２７）。判断７２７の結果がＹＥＳになるときには、電子メールを用いて、処理７１５で選択した送信先の送信先アドレスに配置されている電子メールアドレスに、そのときの送信画情報を送信する（処理７２８）。このとき、送信画情報はバイナリデータなので、ＭＩＭＥ変換され、電子メールの添付ファイルの形式で送信される。次いで、判断７２１へ移行し、それ以降の処理を実行する。
【０１３４】
また、処理７１５で選択した送信先の送信種別が「フォルダ送信」の場合で、判断７２７の結果がＮＯになるときには、処理７１５で選択した送信先の送信先アドレスに配置されているネットワークアドレスのフォルダへ、そのときの送信画情報を、ＦＴＰ送信する（処理７２９）。次いで、判断７２１へ移行し、それ以降の処理を実行する。
【０１３５】
このようにして、本実施例では、送信種別が「ファクシミリ」、「カラーファクシミリ」、「電子メール」、および、「フォルダ送信」の４つの場合について、適切に送信画情報および送信先をネットワーク対応複合機ＦＸへ送信することができて、ネットワーク対応複合機ＦＸは、指定された送信動作を適切に行うことができることとなる。
【０１３６】
ところで、上述した実施例では、２つ以上の送信先が指定された場合、送信種別に応じてＭＭＲ画情報またはＪＰＥＧ画情報を送信していたので、送信ジョブ情報には、ＭＭＲ画情報およびＪＰＥＧ画情報の２つの送信画情報が含まれる場合があった。
【０１３７】
次に、２つ以上の送信先が指定された場合には、ＲＧＢカラー画像データを送信するようにした実施例について説明する。
【０１３８】
図１８，１９は、この場合のパーソナルコンピュータ装置ＰＣの処理の一例を示している。
【０１３９】
まず、ユーザが送信先の指定入力を終了すると（処理８０１）、そのときに入力された送信先の数が「１」であったかどうかを調べる（判断８０２）。判断８０２の結果がＹＥＳになるときには、その送信先の送信種別が「ファクシミリ」であるかどうかを調べる（判断８０３）。
【０１４０】
判断８０３の結果がＹＥＳになるときには、このときに送信する文書は、白黒画像データである。そして、そのときの時刻と、ユーザが指定した送信先の名称と、ＭＦＰ機器情報テーブルから取得したネットワーク対応複合機ＦＸの名称を用いて、付加情報ＨＨの画像を形成し、送信画像の先頭部に挿入（置換）する（処理８０４）。このとき、送信ページ数が２ページ以上の場合には、各ページについて、送信画像の先頭部に付加情報ＨＨの画像を挿入する。
【０１４１】
このようにして付加情報ＨＨの画像が挿入された送信画像をＭＭＲ変換して送信画情報を作成する（処理８０５）。次いで、作成した送信画情報と、ユーザが指定した送信先の情報に基づいて、上述した送信ジョブ情報を作成し（処理８０６）、その送信ジョブ情報を、ローカルエリアネットワークＬＮを介して、ネットワーク対応複合機ＦＸへ送信する（処理８０７）。
【０１４２】
また、ユーザが指定した送信先の送信種別が「ファクシミリ」以外の「カラーファクシミリ」、「電子メール」、あるいは、「フォルダ送信」のいずれかの場合であり、判断８０３の結果がＮＯになるときには、このときに送信する文書は、カラー画像データである。したがって、送信画情報として、ＲＧＢカラー画像データファイルを作成する（処理８０８）。次いで、そのときの時刻と、ユーザが指定した送信先の名称と、ＭＦＰ機器情報テーブルから取得したネットワーク対応複合機ＦＸの名称を用いて、付加情報ＨＨの画像を形成し、送信画像の先頭部に挿入（置換）する（処理８０９）。このとき、送信ページ数が２ページ以上の場合には、各ページについて、送信画像の先頭部に付加情報ＨＨの画像を挿入する。
【０１４３】
次に、作成した送信画情報と、ユーザが指定した送信先の情報に基づいて、上述した送信ジョブ情報を作成し（処理８１０）、処理８０７へ移行し、その送信ジョブ情報を、ローカルエリアネットワークＬＮを介して、ネットワーク対応複合機ＦＸへ送信する。
【０１４４】
一方、ユーザが指定した送信先の数が「２」以上の場合であり、判断８０２の結果がＮＯになるときには、送信画情報として、ＲＧＢカラー画像データファイルを作成する（処理８１１）。
【０１４５】
そして、作成した送信画情報と、ユーザが指定した２つ以上の送信先の情報に基づいて、上述した送信ジョブ情報を作成し（処理８１２）、処理８０７へ移行し、その送信ジョブ情報を、ローカルエリアネットワークＬＮを介して、ネットワーク対応複合機ＦＸへ送信する。
【０１４６】
すなわち、この場合には、２つ以上の送信先が指定されたときの送信ジョブ情報には、ＲＧＢカラー画像データの形式の送信画情報のみが含まれることとなる。また、付加情報ＨＨを挿入する処理は、ネットワーク対応複合機ＦＸ側で行われる。
【０１４７】
図１９，２０は、この場合のネットワーク対応複合機ＦＸの処理の一例を示している。
【０１４８】
パーソナルコンピュータ装置ＰＣより送信ジョブを受け付けると（処理９０１）、送信ジョブ情報を受信して保存する（処理９０２）。そして、送信ジョブ情報の送信先情報テーブルに含まれる送信先数が「１」であるかどうかを調べる（判断９０３）。
【０１４９】
判断９０３の結果がＹＥＳになるときには、送信種別が「ファクシミリ」であるかどうかを調べ（判断９０４）、判断９０４の結果がＹＥＳになるときには、網制御装置１１により、送信先情報テーブルの送信先番号へ発呼し、所定のグループ３ファクシミリ伝送手順を実行し、送信ジョブ情報の送信画情報を送信する（処理９０５）。
【０１５０】
また、判断９０４の結果がＮＯになるときには、送信種別が「カラーファクシミリ」であるかどうかを調べる（判断９０６）。判断７０６の結果がＹＥＳになるときには、送信ジョブ情報に含まれる送信画情報をＪＰＥＧ変換し（処理９０７）、ＩＴＵ−Ｔ勧告Ｈ．３２３またはＳＩＰに従った呼接続手順を適用して、送信先情報テーブルの送信先番号であらわされる送信先との間で通信パスを設定し、その設定した通信パスを用いて、所定の伝送手順を適用して、処理９０７で作成した送信画情報を送信する（処理９０８）。
【０１５１】
また、判断９０６の結果がＮＯになるときには、送信種別が「電子メール」であるかどうかを調べる（判断９０９）。判断９０９の結果がＹＥＳになるときには、電子メールを用いて、送信先情報テーブルの送信先アドレスに配置されている電子メールアドレスに、そのときの送信画情報を送信する（処理９１０）。このとき、送信画情報はバイナリデータなので、ＭＩＭＥ変換され、電子メールの添付ファイルの形式で送信される。
【０１５２】
また、送信種別が「フォルダ送信」の場合で、判断９０９の結果がＮＯになるときには、送信先情報テーブルの送信先アドレスに配置されているネットワークアドレスのフォルダへ、そのときの送信画情報を、ＦＴＰ送信する（処理９１１）。
【０１５３】
一方、送信先数が「２」以上の場合で、判断７０３の結果がＮＯになるときには、まず、送信先を１つ選び（処理９１５）、処理９１５で選択した送信先の送信種別が「ファクシミリ」であるかどうかを調べる（判断９１６）。
【０１５４】
判断９１６の結果がＹＥＳになるときには、そのときの時刻と、処理７１５で選択した送信先の名称と、自端末の名称を用いて、付加情報ＨＨの画像を形成し、送信ジョブ情報に含まれるＲＧＢカラー画像データの先頭部に、挿入（置換）する（処理９１７）。
【０１５５】
次に、処理９１７で付加情報ＨＨを挿入して編集したＲＧＢカラー画像データを所定の白黒変換処理を適用して、白黒画像に変換し（処理９１８）、処理９１８で作成した白黒画像データをＭＭＲ変換して、送信画情報を作成する（処理９１９）。ここで、送信画像データが２ページ以上ある場合には、各ページの送信画像データについて、処理９１７，９１８，９１９を実行する。
【０１５６】
そして、網制御装置１１により、処理９１５で選択した送信先の送信先番号へ発呼し、所定のグループ３ファクシミリ伝送手順を実行し、処理９１９で作成した送信画情報を送信する（処理７２０）。
【０１５７】
ここで、全ての送信先について送信動作を完了したかどうかを調べ（判断９２１）、判断９２１の結果がＮＯになるときには、処理９１５へ戻り、残りの送信先についてそれ以降の処理を実行する。なお、判断９２１の結果がＹＥＳになるときには、このときの送信動作を終了する。
【０１５８】
また、判断９１６の結果がＮＯになるときには、処理９１５で選択した送信先の送信種別が送信種別が「カラーファクシミリ」であるかどうかを調べる（判断９２２）。判断９０６の結果がＹＥＳになるときには、そのときの時刻と、処理９１５で選択した送信先の名称と、自端末の名称を用いて、付加情報ＨＨの画像を形成し、送信ジョブ情報に含まれるＲＧＢカラー画像データの先頭部に、挿入（置換）する（処理９２３）。
【０１５９】
次に、処理９２３で付加情報ＨＨを挿入して作成した送信画像を、ＪＰＥＧ変換して送信画情報を作成する（処理９２４）。ここで、処理９２４における圧縮率は、所定の値を用いる。また、送信画像データが２ページ以上ある場合には、各ページの送信画像データについて、処理９２３，９２４を実行する。
【０１６０】
そして、ＩＴＵ−Ｔ勧告Ｈ．３２３またはＳＩＰに従った呼接続手順を適用して、処理９１５で選択した送信先番号であらわされる送信先との間で通信パスを設定し、その設定した通信パスを用いて、所定の伝送手順を適用して、処理９２４で作成した送信画情報を送信する（処理９２５）。次いで、判断９２１へ移行し、それ以降の処理を実行する。
【０１６１】
また、判断９２２の結果がＮＯになるときには、処理９１５で選択した送信先の送信種別が「電子メール」であるかどうかを調べる（判断９２７）。判断９２７の結果がＹＥＳになるときには、電子メールを用いて、処理９１５で選択した送信先の送信先アドレスに配置されている電子メールアドレスに、そのときの送信画情報を送信する（処理９２７）。このとき、送信画情報はバイナリデータなので、ＭＩＭＥ変換され、電子メールの添付ファイルの形式で送信される。次いで、判断９２１へ移行し、それ以降の処理を実行する。
【０１６２】
また、処理９１５で選択した送信先の送信種別が「フォルダ送信」の場合で、判断９２６の結果がＮＯになるときには、処理９１５で選択した送信先の送信先アドレスに配置されているネットワークアドレスのフォルダへ、そのときの送信画情報を、ＦＴＰ送信する（処理９２８）。次いで、判断９２１へ移行し、それ以降の処理を実行する。
【０１６３】
このようにして、本実施例では、送信種別が「ファクシミリ」、「カラーファクシミリ」、「電子メール」、および、「フォルダ送信」の４つの場合について、適切に送信画情報および送信先をネットワーク対応複合機ＦＸへ送信することができて、ネットワーク対応複合機ＦＸは、指定された送信動作を適切に行うことができることとなる。
【０１６４】
ところで、ユーザが作成した送信文書の１ページ目に、送付状（カバーページ）が設けられる場合がある。この送付状は、相手先を表示したり、挨拶文が掲載されたりするのが通常であり、本文に比べて重要性が低い。
【０１６５】
このような送付状が付加された文書が作成された場合で、ユーザが指定した送信種別が「カラーファクシミリ」であったとき、送付状の画像データまでカラー画像データで送ると、送信ジョブ情報のデータ量が無駄に大きくなるため、送付状の画像データについては白黒画像に変換し、さらに、ＭＭＲ変換する。これにより、送信ジョブ情報のデータ量を効果的に抑制することができる。
【０１６６】
また、この場合の送信ジョブ情報に含まれる送信画情報は、図２１に示すように、送付状が１ページ目に配置され、それに続いて、本文の各ページが配置される。
【０１６７】
図２２は、この場合のパーソナルコンピュータ装置ＰＣの処理の一例を示している。この場合、送信先の指定数が「１」である。
【０１６８】
まず、ユーザは、送付状を１ページ目に配置した印刷文書を作成し、印刷する際、ファクシミリ送信画面を用いてファクシミリ送信を指定する。ユーザが送信先の指定入力を終了すると入力された送信先の送信種別が「ファクシミリ」であるかどうかを調べる（判断１００１）。
【０１６９】
判断１００１の結果がＹＥＳになるときには、このときに送信する文書は、白黒画像データである。そして、そのときの時刻と、指定された送信先の名称と、ＭＦＰ機器情報テーブルから取得したネットワーク対応複合機ＦＸの名称を用いて、付加情報ＨＨの画像を形成し、送信画像の先頭部に挿入（置換）する（処理１００２）。このとき、送信ページ数が２ページ以上の場合には、各ページについて、送信画像の先頭部に付加情報ＨＨの画像を挿入する。
【０１７０】
このようにして付加情報ＨＨの画像が挿入された送信画像をＭＭＲ変換して送信画情報を作成する（処理１００３）。次いで、作成した送信画情報と、ユーザが指定した送信先の情報に基づいて、上述した送信ジョブ情報を作成し（処理１００４）、その送信ジョブ情報を、ローカルエリアネットワークＬＮを介して、ネットワーク対応複合機ＦＸへ送信する（処理１００５）。
【０１７１】
また、ユーザが指定した送信先の送信種別が「カラーファクシミリ」であり、判断１００１の結果がＮＯになるときには、このときに送信する文書は、カラー画像データである。この場合、まず、処理１１０と同様の処理により、圧縮率を設定する（処理１００６）。
【０１７２】
そして、そのときの時刻と、ユーザに指定された送信先の名称と、ＭＦＰ機器情報テーブルから取得したネットワーク対応複合機ＦＸの名称を用いて、付加情報ＨＨの画像を形成する（処理１００７）。
【０１７３】
次いで、処理対象となる送信画像を１ページ目から順次選択し（処理１００８）、処理１００８で選択した送信画像が１ページ目、すなわち、送付状の画像であるかどうかを調べる（判断１００９）。
【０１７４】
判断１００９の結果がＹＥＳになるときには、カラー画像データを所定の白黒変換処理を適用して白黒画像データに変換し（処理１０１０）、処理１０１０で作成した白黒画像データの先頭部に、処理１００７で作成した付加情報ＨＨを挿入（置換）する（処理１０１１）。そして、処理１０１１で作成した白黒画像データをＭＭＲ変換して、１ページ目の送信画情報を作成する（処理１０１２）。
【０１７５】
ここで、全てのページの処理が終了したかどうかを調べ（判断１０１３）、判断１０１３の結果がＮＯになるときには、処理１００８へ戻り、次のページについて処理を実行する。
【０１７６】
また、処理１００８で選択した処理対象のページが、２ページ以降の場合で、判断１００９の結果がＮＯになるときには、当該処理ページのカラー画像データの先頭部に、処理１００７で作成した付加情報ＨＨを挿入（置換）する（処理１０１４）。そして、処理１０１４で付加情報ＨＨを挿入して作成した送信画像を、ＪＰＥＧ変換して送信画情報を作成する（処理１０１４）。また、処理１０１４におけるＪＰＥＧ変換の際の圧縮率は、処理１００６で設定したものを適用する。
【０１７７】
次いで、判断１０１３へ移行し、それ以降の処理を実行する。
【０１７８】
そして、全てのページの処理が終了して、判断１０１３の結果がＹＥＳになると、作成した送信画情報と、ユーザが指定した送信先の情報に基づいて、上述した送信ジョブ情報を作成し（処理１０１６）、処理１００５へ移行し、その送信ジョブ情報を、ローカルエリアネットワークＬＮを介して、ネットワーク対応複合機ＦＸへ送信する。
【０１７９】
図２３は、この場合のネットワーク対応複合機ＦＸの処理の一例を示している。
【０１８０】
パーソナルコンピュータ装置ＰＣより送信ジョブを受け付けると（処理１１０１）、送信ジョブ情報を受信して保存する（処理１１０２）。そして、送信ジョブ情報の送信先情報テーブルの送信種別が「ファクシミリ」であるかどうかを調べる（判断１１０３）。
【０１８１】
判断１１０３の結果がＹＥＳになるときには、網制御装置１１により、送信先情報テーブルの送信先番号へ発呼し、所定のグループ３ファクシミリ伝送手順を実行し、送信ジョブ情報の送信画情報を送信する（処理１１０４）。
【０１８２】
また、送信種別が「カラーファクシミリ」の場合で、判断１１０３の結果がＮＯになるときには、送信ジョブ情報の送信画情報の１ページ目、すなわち、送付状の画像をＭＭＲ変換したものを、元の画像データに復号化する（処理１１０５）。
【０１８３】
次いで、処理１１０５で復号化して得た画像データをＪＰＥＧ変換し（処理１１０６）、処理１１０６で作成したＪＰＥＧ画像データを１ページ目に配置するように、送信画情報を再構築する（処理１１０７）。
【０１８４】
そして、ＩＴＵ−Ｔ勧告Ｈ．３２３またはＳＩＰに従った呼接続手順を適用して、送信先情報テーブルの送信先番号であらわされる送信先との間で通信パスを設定し、その設定した通信パスを用いて、所定の伝送手順を適用して、処理１１０７で再構築した送信画情報を送信する（処理１１０８）。
【０１８５】
このようにして、本実施例では、送付状を含む送信画像を効率よくネットワーク対応複合機ＦＸへ送信することができ、ユーザが指定した送信動作を適切に行うことができる。
【図面の簡単な説明】
【０１８６】
【図１】本発明の一実施例にかかる通信システムの一例を示したブロック図。
【図２】ネットワーク対応複合機ＦＸ（ＦＸａ，ＦＸｂ）の構成例を示したブロック図。
【図３】パーソナルコンピュータ装置ＰＣ（ＰＣａ，ＰＣｂ）の構成例を示したブロック図。
【図４】ファクシミリ送信画面の一例を示した概略図。
【図５】送信画像に挿入される付加情報ＨＨの一例を示した概略図。
【図６】送信ジョブ情報、送信先情報テーブル、送信先情報、ＭＦＰ機器情報テーブル、機器登録アドレス情報テーブル、および、個別アドレス情報の一例を示した概略図。
【図７】パーソナルコンピュータ装置ＰＣの処理の一例を示したフローチャート。
【図８】圧縮率設定処理の２つの例を示したフローチャート。
【図９】ネットワーク対応複合機ＦＸの処理の一例を示したフローチャート。
【図１０】パーソナルコンピュータ装置ＰＣの処理の他の例を示したフローチャート。
【図１１】ネットワーク対応複合機ＦＸの処理の他の例を示したフローチャート（図１２に続く）。
【図１２】ネットワーク対応複合機ＦＸの処理の他の例を示したフローチャート（図１１の続き）。
【図１３】パーソナルコンピュータ装置ＰＣの処理のさらに他の例を示したフローチャート。
【図１４】パーソナルコンピュータ装置ＰＣの処理の別な例を示したフローチャート（図１５に続く）。
【図１５】パーソナルコンピュータ装置ＰＣの処理の別な例を示したフローチャート（図１４の続き）。
【図１６】ネットワーク対応複合機ＦＸの処理の別な例を示したフローチャート（図１７に続く）。
【図１７】ネットワーク対応複合機ＦＸの処理の別な例を示したフローチャート（図１６の続き）。
【図１８】パーソナルコンピュータ装置ＰＣの処理のさらに別な例を示したフローチャート。
【図１９】ネットワーク対応複合機ＦＸの処理の別な例を示したフローチャート（図２０に続く）。
【図２０】ネットワーク対応複合機ＦＸの処理の別な例を示したフローチャート（図１９の続き）。
【図２１】送付状が付加された場合の送信画情報の一例を示した概略図。
【図２２】パーソナルコンピュータ装置ＰＣの処理の他の例を示したフローチャート。
【図２３】ネットワーク対応複合機ＦＸの処理の他の例を示したフローチャート。
【符号の説明】
【０１８７】
ＰＣ  パーソナルコンピュータ装置
ＦＸ  ネットワーク対応複合機
【図１】
0004870700.tif 000002
【図２】
0004870700.tif 000003
【図３】
0004870700.tif 000004
【図４】
0004870700.tif 000005
【図５】
0004870700.tif 000006
【図６】
0004870700.tif 000007
【図７】
0004870700.tif 000008
【図８】
0004870700.tif 000009
【図９】
0004870700.tif 000010
【図１０】
0004870700.tif 000011
【図１１】
0004870700.tif 000012
【図１２】
0004870700.tif 000013
【図１３】
0004870700.tif 000014
【図１４】
0004870700.tif 000015
【図１５】
0004870700.tif 000016
【図１６】
0004870700.tif 000017
【図１７】
0004870700.tif 000018
【図１８】
0004870700.tif 000019
【図１９】
0004870700.tif 000020
【図２０】
0004870700.tif 000021
【図２１】
0004870700.tif 000022
【図２２】
0004870700.tif 000023
【図２３】
0004870700.tif 000024